(57)【要約】【課題】急速かつ高風量の暖房が可能な空気調和機を提供する。【解決手段】予熱条件が成立すると、圧縮機４０を低能力運転しつつヒートポンプ式冷凍サイクルの暖房流路を形成して室内熱交換器９の温度ＴＣを一定範囲に維持する予熱運転を実行し、その後、暖房開始の指示を受けると、圧縮機４０の能力を増大し、かつ熱交換器温度センサの検知温度ＴＣが設定値ＴＣｘに達するまで室内ファン１２を低速度運転し、同検知温度ＴＣが設定値ＴＣｘを超えたところで室内ファン１２の速度を急増して暖房運転に移行する。【選択図】    図１
2010048494.tif 000002
【特許請求の範囲】
【請求項１】
圧縮機の吐出冷媒を室内熱交換器、減圧器、室外熱交換器に通して圧縮機に戻す暖房流路の形成が可能なヒートポンプ式冷凍サイクルと、
室内空気を前記室内熱交換器に通して循環させる室内ファンと、
前記室内熱交換器の温度を検知する熱交換器温度センサと、
室内温度および室外温度に基づく予熱条件の成立時、前記圧縮機を低能力運転しつつ前記暖房流路を形成して前記熱交換器温度センサの検知温度を一定範囲に維持する予熱運転を実行する制御手段と、
前記予熱運転の実行中に暖房開始の指示を受けたとき、前記圧縮機の能力を増大し、かつ前記熱交換器温度センサの検知温度が設定値に達するまで前記室内ファンを低速度運転し、同検知温度が設定値を超えたところで前記室内ファンの速度を急増して暖房運転に移行する制御手段と、
を備えることを特徴とする空気調和機。
【請求項２】
前記予熱運転を実行する手段は、室内温度および、または室外温度に基づく予熱条件の成立時に実行されることを特徴とする請求項１記載の空気調和機。
【請求項３】
前記予熱運転の実行中に時間をカウントする制御手段と、
前記暖房開始の指示がないまま、前記カウント時間が設定時間に達したとき、前記予熱運転を停止する制御手段と、
をさらに備えることを特徴とする請求項１または請求項２記載の空気調和機。
【請求項４】
前記予熱運転の実行中に前記予熱条件が成立しなくなったとき、前記予熱運転を停止する制御手段、
をさらに備えることを特徴とする請求項１乃至請求項３記載の空気調和機。
【請求項５】
前記圧縮機は、複数のシリンダを有し、
前記制御手段は、前記圧縮機を低能力運転するときに、前記圧縮機の運転シリンダ数を減少させる、
ことを特徴とする請求項１乃至請求項４のいずれかに記載の空気調和機。
【請求項６】
少なくとも前記室内熱交換器および前記室内ファンを収容し、前記室内ファンの運転により吸込口から室内空気を吸込み、その吸込み空気を前記室内熱交換器に通して吹出口から室内に吹出す室内機と、
前記予熱運転の実行中、前記吹出口から前記吸込口に至る最短経路で吹出し風が循環するショートサーキットを形成する制御手段と、
をさらに備えることを特徴とする請求項１乃至請求項５のいずれかに記載の空気調和機。
【請求項７】
前記予熱運転の実行中、その旨を報知する制御手段、
をさらに備えることを特徴とする請求項１乃至請求項６のいずれかに記載の空気調和機。
【発明の詳細な説明】
【技術分野】
【０００１】
この発明は、暖房用の予熱を行う空気調和機に関する。
【背景技術】
【０００２】
冷房および暖房が可能なヒートポンプ式冷凍サイクルを備えた空気調和機では、暖房の開始時、冷媒および室内熱交換器が冷えているため、暖房の立ち上がりが遅いという問題がある。
【０００３】
そこで、運転の停止中に冷凍サイクル中の冷媒の温度を検知し、その検知温度が所定値未満となった場合に圧縮機を一定時間運転する空気調和機が知られている（例えば特許文献１）。
【特許文献１】実開平３−７２２７０号公報
【発明の開示】
【発明が解決しようとする課題】
【０００４】
上記の空気調和機では、圧縮機を一定時間運転することにより、冷凍サイクル中の冷媒の温度低下を抑えることができる。  
しかしながら、冷媒の温度低下を抑えるだけで、急速かつ高風量の暖房が困難である。
【０００５】
この発明は、上記事情を考慮したもので、その目的は、急速かつ高風量の暖房が可能な空気調和機を提供することである。
【課題を解決するための手段】
【０００６】
請求項１に係る発明の空気調和機は、圧縮機の吐出冷媒を室内熱交換器、減圧器、室外熱交換器に通して圧縮機に戻す暖房流路の形成が可能なヒートポンプ式冷凍サイクルと、室内空気を前記室内熱交換器に通して循環させる室内ファンと、前記室内熱交換器の温度を検知する熱交換器温度センサと、前記圧縮機を低能力運転しつつ前記暖房流路を形成して前記熱交換器温度センサの検知温度を一定範囲に維持する予熱運転を実行する制御手段と、前記予熱運転の実行中に暖房開始の指示を受けたとき、前記圧縮機の能力を増大し、かつ前記熱交換器温度センサの検知温度が設定値に達するまで前記室内ファンを低速度運転し、同検知温度が設定値を超えたところで前記室内ファンの速度を急増して暖房運転に移行する制御手段と、を備える。
【発明の効果】
【０００７】
この発明の空気調和機によれば、急速かつ高風量の暖房が可能となる。
【発明を実施するための最良の形態】
【０００８】
以下、この発明の一実施形態について図面を参照しながら説明する。図１に室内機の外観を示し、図２に室内機の内部を断面して示している。  
１は室内機で、前面が側面視で湾曲成され外郭を構成する前面パネル１Ａと、内部に収納される部品を配置する後本体とから構成される。前面パネル１Ａの上面には上面吸込口２が設けられ、前面パネル１Ａの前面には下部を残して前面吸込口３が設けられ、前面パネル１Ａの前面下部には吹出口４が開口される。
【０００９】
上面吸込口２にはグリル５が嵌め込まれていて、上面吸込口２は常時開放状態にある。前面パネル１Ａの前面部は、ここでは図示しない上端部のヒンジ部を介して後本体前面上端に回動自在に開閉支持される。したがって、前面パネル１Ａの下端部は後本体に対して開閉可能である。
【００１０】
上記前面パネル１Ａの前面に設けられる前面吸込口３は、パネル開閉機構Ｋを介して取付けられる可動パネル６によって開閉される。すなわち、可動パネル６は、パネル開閉機構Ｋの作動に基づく前方への突出により開いて室内空気の吸込み流路を形成し、その吸込み流路を突出位置からの復帰により閉塞する。
【００１１】
また、可動パネル６は、後述の表示ユニット２０と対応する部位に透過表示部６ａを有する。この透過表示部６ａは、表示ユニット２０と共に表示手段を構成するもので、光を通す部材で形成されており、表示ユニット２０の表示を室内機１の前方側に透過表示する。
【００１２】
室内機１の内部には、前側熱交換器部９Ａと後側熱交換器部９Ｂとを略逆Ｖ字状に屈曲してなる室内熱交換器９が配置される。前側熱交換器部９Ａは、前面パネル１Ａおよび可動パネル６と対応する位置に湾曲状に形成される。後側熱交換器部９Ｂは、上面吸込口２と対応する位置に傾斜して設けられる。
【００１３】
前側熱交換器部９Ａの前面側に、電気集塵機１０が取付けられる。この電気集塵機１０は、本来の集塵動作に加え、オゾン発生装置としても動作する。室内熱交換器９と前面吸込口３および上面吸込口２との間に亘りフィルタ１１が介在される。前面パネル１Ａを可動パネル６ごと開放すれば、フィルタ１１を室内機１に対し容易に挿脱できる。なお、図示していないが、フィルタ１１に付着した塵埃を自動的に清掃する清掃ユニットが設けられている。
【００１４】
室内熱交換器９の前後側室内熱交換器９Ａ，９Ｂの相互間で、かつ上記吹出口７と対向して室内ファン１２が配置される。この室内ファン１２は、いわゆる横流ファンで、室内熱交換器９の幅方向寸法と略同一の軸方向寸法を有し、室内熱交換器９を通して室内空気を循環させる。
【００１５】
前側熱交換器部９Ａの下端部は前ドレンパン１３ａ上に載り、後側熱交換器部９Ｂの下端部は後ドレンパン１３ｂ上に載って、それぞれの熱交換器から滴下するドレン水を受け、外部に排水できる。前後ドレンパン１３ａ，１３ｂの一部側壁外面は室内ファン１２に近接した位置に設けられ、室内ファン１２に対するノーズｎを構成する。
【００１６】
ノーズｎを構成する前後ドレンパン１３ａ，１３ｂの側壁部分と、吹出口４の各辺部との間は、隔壁部材１４によって連結される。この隔壁部材１４で囲まれる空間が、ノーズｎと吹出口４とを連通する吹出通風路１５となる。
【００１７】
吹出通風路１５の終端部に開口する上記吹出口４には、上下ルーバ７Ａと左右ルーバ７Ｂが設けられる。ここでは１枚の上下ルーバ７Ａ上に、互いに作動機構を介して連結される複数枚の左右ルーバ７Ｂが支持される。上下ルーバ７Ａおよび左右ルーバ７Ｂとも、それぞれ図示しない駆動機構と駆動源を介して機械的に連結される。
【００１８】
図３に運転中の室内機を示し、図４に室内機の内部の構成を部分的に示している。  
上記可動パネル６は、上下方向に沿って湾曲した断面形状をなしている。図３では、前面パネル１Ａの左右幅方向の一側部（右側）のみにパネル開閉機構Ｋが設けられ、可動パネル６を裏面側から支持しているが、実際には前面パネル１Ａの左右幅方向の両側部にパネル開閉機構Ｋが設けられ、可動パネル６の両側部を支持している。
【００１９】
パネル開閉機構Ｋは、駆動モータに減速機構を介して連結される駆動軸と、リンク機構体とから構成される。リンク機構体は、固定アームと、駆動アームおよび従動アームと、これら駆動アームと従動アームに回動自在に連結される補助アームを備えた平行リンク機構であり、駆動アームと補助アームとの間には補助リンク機構が設けられる。
【００２０】
後述のリモートコントローラ１００の操作によって選択される運転モードに応じて、可動パネル６の開放姿勢が相違してくる。  
例えば、除湿運転モードが選択されると、パネル開閉機構Ｋが可動パネル６を前面パネル１Ａからわずかに突出させ、前面吸込口３を半開き状態とする。この状態で室内ファン１２が動作するとともに、上下ルーバ７Ａが上向き設定されることにより、吹出口４から上面吸込口２に至る最短経路で吹出し風が循環するいわゆるショートサーキットが形成される。
【００２１】
冷房運転モードまたは暖房運転モードが選択されると、パネル開閉機構Ｋが可動パネル６を前面パネル１Ａから最大限に突出させ、前面吸込口３を全開する。このとき、可動パネル６の下端と上端は前面吸込口３の下端と上端よりも高い位置にあり、かつ可動パネル６は下端よりも上端が前方へ突出して傾く。
【００２２】
また、冷房運転モードが選択された場合、上下ルーバ７Ａはほとんど水平方向へ向くよう傾く。暖房運転モードが選択された場合は、上下ルーバ７Ａはほとんど直下方向に向けられる。冷暖房いずれの運転においても、複数枚の左右ルーバ７Ｂは互いに並行したまま回動駆動される。
【００２３】
可動パネル６の内面側で且つ一方（右側）のパネル開閉機構Ｋの内側に、液晶パネル（または有機ＥＬパネル）および発光ダイオード（ＬＥＤ）からなる表示ユニット２０が取付けられる。表示ユニット２０は、当該空気調和機の消費電力およびその消費電力に関わる種々の情報を表示するとともに、必要に応じて現在時刻、室内温度、外気温などを表示する。この表示ユニット２０の表示画面が可動パネル６の透過表示部６ａを透過して室内のユーザーに提示される。
【００２４】
図５に表示ユニット２０およびその保持機構を示す。リード線保護構造部品Ｈは、表示ユニット２０に第１の屈曲部２１を介して連結される下ケース２２と、この下ケース２２と内部空間を形成するとともにスライド自在に嵌め合わされる上ケース２３と、これら下ケース２２および上ケース２３の内部に収容されるリード線ガイドを備えている。
【００２５】
さらに、リード線保護構造部品Ｈは、上ケース２３に第２の屈曲部２５を介して連結されるガイド部材２６と、このガイド部材２６と一体に連結固定され上記前面パネル１Ａに回動自在に支持されるヒンジ部材２７とで構成される。
【００２６】
このような構成の室内機１および室外機（図示しない）に、図６に示すヒートポンプ式冷凍サイクルが搭載される。４０は２シリンダ型の圧縮機で、２つのシリンダ４１，４２を有する。冷房時、この圧縮機４０から吐出される冷媒が四方弁４３を通って上記室内熱交換器９に流れ、その室内熱交換器９を経た冷媒が電子膨張弁（パルスモータバルブ；ＰＭＶ）４４を介して室外熱交換器４５に流れる。室外熱交換器４５を経た冷媒は、四方弁４３およびアキュームレータ４７を介してシリンダ４１に吸込まれるとともに、アキュームレータ４７を経た冷媒の一部が切換弁４８およびバッファタンク４９を介してシリンダ４２に吸込まれる。すなわち、冷房流路が形成される。なお、室外熱交換器４５の近傍に室外ファン４６が設けられている。
【００２７】
暖房時は、四方弁４３が反転作動することにより、破線矢印で示すように、圧縮機４０から吐出される冷媒が四方弁４３を通って室外熱交換器４５に流れ、その室外熱交換器４５を経た冷媒が電子膨張弁４４を介して室内熱交換器９に流れる。室内熱交換器９を経た冷媒は、四方弁４３およびアキュームレータ４７を介してシリンダ４１に吸込まれるとともに、アキュームレータ４７を経た冷媒の一部が切換弁４８およびバッファタンク４９を介してシリンダ４２に吸込まれる。すなわち、暖房流路が形成される。
【００２８】
切換弁４８は、圧縮機４０の２シリンダ運転に際して図示のようにアキュームレータ４７とバッファタンク４９とを結ぶ冷媒流路を形成し、圧縮機４０のシリンダ４２が空転状態となる１シリンダ運転に際しては、図７に示すように、アキュームレータ４７とバッファタンク４９とを結ぶ冷媒流路を遮断しつつ、圧縮機４０の吐出冷媒の一部がシリンダ４２に戻る冷媒流路を形成する。
【００２９】
一方、室内熱交換器９の一側部は室内機１の側面板と間隙を存して配置され、この間隙に電気部品箱１６が配置される。この電気部品箱１６に、図８に示す室内基板５０、送受光基板７０、および表示基板８０が収容される。
【００３０】
室内基板５０は、商用交流電源ＡＣに接続され、その商用交流電源ＡＣの交流電圧を電源スイッチ５１を介して電源回路５２に取込むとともに、商用交流電源ＡＣの交流電圧をパワーリレー５３を介して室外機の室外基板２００に送出する。電源回路５２は、取込まれた交流電圧を降圧および整流し、それを当該室内基板５０、送受光基板７０、および表示基板８０の動作用電圧として出力する。
【００３１】
そして、室内基板５０に、室内制御部（ＭＣＵ）６０、駆動回路６１，６２，６３，６４，６５、およびシリアル回路６６が搭載される。室内制御部６０は、シリアル回路６６を介した室外基板２００とのデータ送受信により、室外基板２００上の後述する室外制御部２０３と共に、当該空気調和機の全体を制御する。駆動回路６１は、上記上下ルーバ７Ａ、左右ルーバ７Ｂ、および可動パネル６を駆動する。駆動回路６２は、上記電気集塵機１０およびフィルタ１１を駆動する。駆動回路６３は、送受光基板７０上の送受光ユニット７１を駆動する。駆動回路６４は、表示基板８０上の上記表示ユニット２０を駆動する。駆動回路６５は、上記室内ファン１２のファンモータ１２Ｍを可変速駆動する。
【００３２】
また、室内制御部６０に、センサ群６７、パネル検知器６８、およびフィルタ検知器６９が接続されている。センサ群６７は、室内温度ＴＡを検知する室内温度センサ、室内熱交換器９の温度ＴＣを検知する熱交換器温度センサ、室内熱交換器９から流出する冷媒の温度ＴＣＪを検知する冷媒温度センサ、室内湿度を検知する室内湿度センサなどを含む。パネル検知器６８は、可動パネル６の開閉を検知する。フィルタ検知器６９は、フィルタ１１の挿脱を検知する。
【００３３】
上記送受光ユニット７１は、リモートコントローラ（リモコンともいう）１００から発せられる操作用の赤外線光を受光するとともに、リモートコントローラ１００に対するデータ送信用の赤外線光を発する。
【００３４】
リモートコントローラ１００は、図９に示すように、液晶表示部１０１、温度調節釦１０２、自動釦１０３、冷房釦１０４、停止釦１０５、除湿釦１０６、暖房釦１０７、気流釦１０８、および開閉カバー（図示しない）の内側の操作面１１０を有する。
【００３５】
液晶表示部１０１は、設定される運転条件や運転に関わる各種情報を表示するためのもので、とくに、各種画像のドットパターンを表示するドットパターン画面１０１ａを有する。温度調節釦１０２は、室内温度の目標値の設定用である。自動釦１０３は、冷房・暖房・除湿などの運転モードを自動的に選択して実行する自動運転モードの設定用である。冷房釦１０４は冷房運転の設定用、停止釦１０５は運転の停止用、除湿釦１０６は除湿運転の設定用、暖房釦１０７は暖房運転の設定用である。気流釦１０８は、吹出風の気流方向を設定するためのもので、操作ごとに、種々の気流パターンがドットパターン画面１０１ａで切換表示される。
【００３６】
操作面１１０には、運転停止までの時間を設定するための切タイマー釦１１１、情報案内用の“おしえて”釦１１２、上下風向・左右風向を切換えるための風向釦１１３、電気集塵機１０の運転を設定するための空気清浄釦１１４、吹出風量を設定するための風量釦１１５、上下ルーバ７Ａの揺動を設定するためのスイング釦１１６、暖房用の予熱運転を設定するための予熱釦１１７、運転停止の予約時刻を設定するためのタイマー切り釦１１８、運転開始の予約時刻を設定するためのタイマー入り釦１１９、これら予約時刻を確定するための予約釦１２０、メニュー釦１２１、および取消釦１２２が設けられている。
【００３７】
一方、図１０に示すように、室外機の室外基板２００に、電源回路２０１、室外制御部（ＭＣＵ）２０３、駆動回路２０４，２０５，２０６，２０７，２０８が搭載されている。電源回路２０１は、室内基板５０から供給される交流電圧を当該室外基板２００の動作用電圧に変換して出力する。駆動回路２０４は、上記電子膨張弁４４を駆動する。駆動回路２０５は、上記切換弁４８を駆動する。駆動回路２０６は、上記圧縮機４０の圧縮機モータ４０Ｍを可変速駆動する。駆動回路２０７は、上記四方弁４３を駆動する。駆動回路２０８は、上記室外ファン４６のファンモータ４６Ｍを可変速駆動する。
【００３８】
また、室外制御部２０３に、センサ群２０９が接続されている。センサ群２０９は、圧縮機４０から吐出される冷媒の温度を検知する吐出冷媒温度センサ、圧縮機４０に吸込まれる冷媒の温度を検知する吸込冷媒温度センサ、室外熱交換器４５の温度を検知する熱交換器温度センサ、室外温度ＴＯを検知する外気温センサなどを含む。
【００３９】
そして、室内制御部６０および室外制御部２０３は、予熱運転に関する主要な機能として、次の（１）〜（７）の手段を有する。
【００４０】
（１）センサ群６７の室内温度センサで検知される室内温度ＴＡおよびセンサ群２０９の外気温センサで検知される室外温度ＴＯに基づく予熱条件の成立時、圧縮機４０を低能力運転（運転シリンダ数を減少）しつつヒートポンプ式冷凍サイクルの暖房流路を形成して室内熱交換器９の温度（熱交換器温度センサの検知温度）ＴＣを一定範囲に維持する予熱運転を実行する制御手段。
【００４１】
（２）予熱運転の実行中、室内ファン１２を極低速度運転し、吹出口４から上面吸込口２に至る最短経路で吹出し風が循環するショートサーキットを形成する制御手段。
【００４２】
（３）予熱運転の実行中、その旨を表示ユニット２０の表示により報知する制御手段。
【００４３】
（４）予熱運転の実行中にリモートコントローラ１００から暖房開始の指示を受けたとき、圧縮機４０の能力を増大し、かつ熱交換器温度センサの検知温度ＴＣが設定値ＴＣｘに達するまで室内ファン１２を低速度運転し、同検知温度ＴＣが設定値ＴＣｘを超えたところで室内ファン１２の速度を急増して暖房運転に移行する制御手段。
【００４４】
（５）予熱運転の実行中に時間ｔ１をカウントする制御手段。
【００４５】
（６）リモートコントローラ１００から暖房開始の指示がないまま、上記カウント時間ｔ１が設定時間ｔ１ｘに達したとき、予熱運転を停止する制御手段。
【００４６】
（７）予熱運転の実行中に上記予熱条件が成立しなくなったとき、予熱運転を停止する制御手段。
【００４７】
つぎに、図１１のフローチャートを参照しながら、作用について説明する。  
室内温度センサで検知される室内温度ＴＡが例えば１０℃以下、および外気温センサで検知される室外温度ＴＯが例えば１５℃以下となって図１２に示す予熱運転域に入ると、予熱条件が成立し（ステップ３０１のＹＥＳ）、圧縮機４０の低能力運転（１シリンダ運転）および室外ファン４６の運転が開始されつつ、四方弁４３が反転されてヒートポンプ式冷凍サイクルの暖房流路が形成され、予熱運転が開始される（ステップ３０２）。
【００４８】
この場合、図１４に示すように、圧縮機４０の１シリンダによる低能力運転がオン，オフ（断続）され、かつそのオン，オフに伴って電子膨張弁４４の開度が制御されることにより、室内熱交換器９の温度（熱交換器温度センサの検知温度）ＴＣが予め定められた一定範囲に維持される。電子膨張弁４４の開度制御に際しては、予熱開始時に先ず初期開度（駆動パルス数；６０pls）が設定され、続いて、室内熱交換器９から流出する冷媒の温度ＴＣＪ（冷媒温度センサの検知温度）と上記熱交換器温度ＴＣとの差である過熱度（スーパーヒート量）ＳＨが一定値となるよう、開度が増減される。
【００４９】
この予熱運転時、室内ファン１２が極低速度運転され、図１３に示すように、吹出口４から上面吸込口２に至る最短経路で吹出し風を循環させるためのショートサーキットが形成される。
【００５０】
予熱運転中は“予熱中”の文字が表示ユニット２０で表示され、その表示が可動パネル６の透過表示部６ａを透過する（ステップ３０３）。室内のユーザーは、透過表示部６ａの透過表示を見ることにより、予熱運転が実行されていることを的確に知ることができる。また、予熱運転の開始に伴い、タイムカウントｔ１が開始される（ステップ３０４）。
【００５１】
そして、予熱運転中、リモートコントローラ１００から暖房開始の指示が発せられると（ステップ３０５のＹＥＳ）、圧縮機４０の能力が増大され（ステップ３０６）、かつ室内ファン１２が低速度運転される（ステップ３０６）。同時に、表示ユニット２０での“予熱中”表示が解除されるとともに（ステップ３０８）、タイムカウントｔ１がクリアされる（ステップ３０９）。
【００５２】
このとき、室内熱交換器９の温度ＴＣが設定値ＴＣｘ以下であれば（ステップ３１０のＹＥＳ）、室内ファン１２の低速度運転が継続される（ステップ３１１）。
【００５３】
その後、室内熱交換器９の温度ＴＣが上昇して設定値ＴＣｘを超えたところで（ステップ３１０のＮＯ）、室内ファン１２の速度が急激に増大され、暖房運転に移行する（ステップ３１２）。
【００５４】
こうして、室内熱交換器９の温度ＴＣが十分に上昇した状態で室内ファン１２の速度が急激に増大されることにより、暖房用として十分に高い温度の多量の温風が室内に吹出され、立ち上がりの早い快適暖房が実施される。以後、空調負荷（室内温度ＴＡと目標値との差）に応じて圧縮機４０の能力が制御されるとともに、室内ファン１２の速度がリモートコントローラ１００の操作に応じて調節される。
【００５５】
暖房運転中、リモートコントローラ１００から暖房停止の指示が発せられると（ステップ３１３のＹＥＳ）、圧縮機４０、室外ファン４６、および室内ファン１２の運転が停止されるとともに、四方弁４３が復帰されて、暖房運転が停止される（ステップ３１４）。
【００５６】
ところで、予熱運転の開始後、リモートコントローラ１００から暖房開始の指示がないまま（ステップ３０５のＹＥＳ）、カウント時間ｔ１が設定時間ｔ１ｘに達した場合には（ステップ３１５のＹＥＳ）、電力消費を抑えるため、圧縮機４０、室外ファン４６、および室内ファン１２の運転が停止され、かつ四方弁４３が復帰されて、予熱運転が停止される（ステップ３１６）。
【００５７】
この予熱運転の停止に伴い、タイムカウントｔ２が開始され（ステップ３１７）、そのタイムカウントｔ２が再予熱防止用の一定時間ｔ２ｘに満たないうちは（ステップ３１８のＮＯ）、予熱運転の停止が強制的に継続される（ステップ３１６）。その後、タイムカウントｔ２が一定時間ｔ２ｘに達したところで（ステップ３１８のＹＥＳ）、タイムカウントｔ２がクリアされ（ステップ３１９）、予熱運転の強制的な停止状態が解除される。すなわち、予熱運転の停止と開始が頻繁に繰り返される不具合を回避できる。
【００５８】
また、予熱運転中に上記予熱条件が成立しなくなった場合は（ステップ３０１のＮＯ）、その時点で予熱運転が禁止される（ステップ３２０）。この場合も、上記同様、タイムカウントｔ２により、予熱運転の停止と開始が頻繁に繰り返される不具合を回避できる。
【００５９】
以上のように、予熱条件が成立すると、圧縮機４０を低能力運転しつつヒートポンプ式冷凍サイクルの暖房流路を形成して室内熱交換器９の温度ＴＣを一定範囲に維持する予熱運転を実行し、その後、暖房開始の指示を受けると、圧縮機４０の能力を増大し、かつ熱交換器温度センサの検知温度ＴＣが設定値ＴＣｘに達するまで室内ファン１２を低速度運転し、同検知温度ＴＣが設定値ＴＣｘを超えたところで室内ファン１２の速度を急増して暖房運転に移行することにより、急速かつ高風量の暖房が可能となる。
【００６０】
しかも、予熱運転中は、室内機１の吹出口４から上面吸込口２に至る最短経路で吹出し風が循環するショートサーキットが形成されるので、温熱が室内機１の周りに徐々に輻射される。この輻射により、暖房効率の向上が図れる。
【００６１】
予熱運転の開始後、暖房開始の指示がないままタイムカウントｔ１に基づく設定時間ｔ１ｘが経過した場合は予熱運転を停止するので、電力の無駄な消費がなくなり、省エネルギー効果が得られる。
【００６２】
なお、この発明は上述した実施の形態そのままに限定されるものではなく、実施段階ではその要旨を逸脱しない範囲で構成要素を変形して具体化できる。そして、上述した実施の形態に開示されている複数の構成要素の適宜な組合せにより種々の発明を形成できる。
【図面の簡単な説明】
【００６３】
【図１】この発明の一実施形態における室内機の外観斜視図。
【図２】一実施形態における室内機の内部の構成を断面して示す図。
【図３】一実施形態における室内機の可動パネルが突出した状態を示す斜視図。
【図４】一実施形態における室内機の表示ユニットおよびその周辺部の構成を示す斜視図。
【図５】一実施形態における表示ユニットの保持機構の構成を示す斜視図。
【図６】一実施形態におけるヒートポンプ式冷凍サイクルの構成および圧縮機の２シリンダ運転を示す図。
【図７】一実施形態における圧縮機の１シリンダ運転を示す図。
【図８】一実施形態における室内機の制御回路を示すブロック図。
【図９】一実施形態におけるリモートコントローラを示す図。
【図１０】一実施形態における室外機の制御回路を示すブロック図。
【図１１】一実施形態の作用を説明するためのフローチャート。
【図１２】一実施形態における予熱運転域を示す図。
【図１３】一実施形態における室内機のショートサーキットおよび予熱中表示を示す図。
【図１４】一実施形態における予熱運転時の圧縮機の運転オン，オフおよび電子膨張弁の開度変化を示す図。
【符号の説明】
【００６４】
１…室内機、２…上面吸込口、３…前面吸込口、４…吹出口、６…可動パネル、６ａ…透過表示部、９…室内熱交換器、１２…室内ファン、２０…表示ユニット、４０…圧縮機、４５…室外熱交換器、４６…室外ファン、４８…切換弁、６０…室内制御部、６５…駆動回路、１００…リモートコントローラ、１０１…液晶表示部、１０１ａ…ドットパターン画面、１０２…温度調節釦、１１２…“おしえて”釦、１２１…メニュー釦、２０３…室外制御部、２０６，２０８…駆動回路
【図１】
2010048494.tif 000003
【図２】
2010048494.tif 000004
【図３】
2010048494.tif 000005
【図４】
2010048494.tif 000006
【図５】
2010048494.tif 000007
【図６】
2010048494.tif 000008
【図７】
2010048494.tif 000009
【図８】
2010048494.tif 000010
【図９】
2010048494.tif 000011
【図１０】
2010048494.tif 000012
【図１１】
2010048494.tif 000013
【図１２】
2010048494.tif 000014
【図１３】
2010048494.tif 000015
【図１４】
2010048494.tif 000016